(57)【要約】  本発明は、ポリエチレングリコール誘導体及びこの製造方法に係り、本発明によるポリエチレングリコール誘導体の製造工程は、医薬品リンカーで多様に活用することができる新規なポリエチレングリコール誘導体を提供することができ、大量生産に適して効率的であり、ハイクオリティーの製品を再現性よく大量生産することができる長所がある。
2021501816.tif 000002
【特許請求の範囲】
【請求項１】
（１）塩基下で下記化学式１の化合物から下記化学式２の化合物を製造する段階；
（２）塩基下で前記化学式２の化合物を下記化学式２‐１の化合物と反応させて下記化学式３の化合物を製造する段階；
（３）塩基下で前記化学式３の化合物から下記化学式４の化合物を製造する段階；
（４）塩基下で前記化学式４の化合物を下記化学式５の化合物と反応させて下記化学式６の化合物を製造する段階；及び
（５）前記化学式６の化合物を脱ベンジル化して下記化学式７の化合物を製造する段階を含む下記化学式７の化合物を製造する方法：
【化１】
2021501816.tif 000036
【化２】
2021501816.tif 000037
【化３】
2021501816.tif 000038
【化４】
2021501816.tif 000039
【化５】
2021501816.tif 000040
【化６】
2021501816.tif 000041
【化７】
2021501816.tif 000042
【化８】
2021501816.tif 000043
ここで、Ｔｓはトルエンスルホニルで、Ｍｓはメタンスルホニルで、Ｂｎはベンジルで、Ｒ１及びＲ２はそれぞれ独立的に線形または枝型のＣ１‐Ｃ９アルキル基で、ｎは３ないし２０００の整数である。
【請求項２】
前記段階（５）の前記化学式７の化合物を製造する段階は、金属触媒の存在下で行われる請求項１に記載の方法。
【請求項３】
前記段階（５）は、下記化学式Ａで表される化合物の存在下で行われる請求項１に記載の方法：
【化９】
2021501816.tif 000044
ここで、Ｒａ、Ｒｂ、及びＲｃはそれぞれ独立的にＨまたは線形または枝型のＣ１ないしＣ５のアルキル基で、Ｒａ、Ｒｂ、及びＲｃの中で少なくとも一つはＨで、ｎは３ないし２０００の整数である。
【請求項４】
前記段階（５）は水素（Ｈ２）の存在下で行われる請求項２または請求項３に記載の方法。
【請求項５】
前記Ｒ１及びＲ２はそれぞれ独立的にメチル、エチル、プロピル、イソプロピル及びブチルからなる群から選択される請求項１に記載の方法。
【請求項６】
前記ｎは５０ないし５００の整数である請求項１に記載の方法。
【請求項７】
前記ｎは１００ないし５００の整数である請求項６に記載の方法。
【請求項８】
前記ｎは１５０ないし２５０の整数である請求項７に記載の方法。
【請求項９】
前記塩基は、ナトリウムメトキシド、ナトリウムエトキシド、ナトリウムｔ‐ブトキシド、ナトリウムｔ‐ペントキシド、カリウムｔ‐ブトキシド、カリウムｔ‐ペントキシド、トリメチルアミン、トリエチルアミン、トリブチルアミン及びこれらの混合物からなる群から選択される請求項１に記載の方法。
【請求項１０】
前記段階（２）の化学式２‐１の化合物は、ジメトキシ‐１‐プロパノール、ジエトキシ‐１‐プロパノール、ジプロポキシ‐１‐プロパノール、ジブトキシ‐１‐プロパノール、及びジイソプロポキシ‐１‐プロパノールからなる群から選択される請求項１に記載の方法。
【請求項１１】
前記段階（５）の金属触媒は、酸化白金、水酸化パラジウム、パラジウム‐炭素及びこれらの混合物からなる群から選択された請求項２に記載の方法。
【請求項１２】
前記段階（５）の化学式Ａで表される化合物は、アンモニア、メチルアミン、エチルアミン、イソプロピルアミン、ジメチルアミンまたはジエチルアミンである請求項３に記載の方法。
【請求項１３】
前記段階（５）は、ギ酸アンモニウムの存在下で行われる請求項１または請求項２に記載の方法。
【請求項１４】
下記化学式２の化合物：
【化１０】
2021501816.tif 000045
ここで、Ｔｓはトルエンスルホニルで、ｎは３ないし２０００の整数である。
【請求項１５】
下記化学式８の化合物：
【化１１】
2021501816.tif 000046
ここで、Ｅｔはエチルで、ｎは３ないし２０００の整数である。
【請求項１６】
下記化学式９の化合物：
【化１２】
2021501816.tif 000047
ここで、Ｅｔはエチルで、Ｍｓはメタンスルホニルで、ｎは３ないし２０００の整数である。
【請求項１７】
下記化学式１０の化合物：
【化１３】
2021501816.tif 000048
ここで、Ｅｔはエチルで、Ｂｎはベンジルで、ｎは３ないし２０００の整数である。
【請求項１８】
前記ｎは５０ないし５００の整数である請求項１４ないし請求項１７のいずれか一項に記載の化合物。
【請求項１９】
前記ｎは１００ないし５００の整数である請求項１８に記載の化合物。
【請求項２０】
前記ｎは１５０ないし２５０の整数である請求項１９に記載の化合物。
【発明の詳細な説明】
【技術分野】
【０００１】
本発明は、ポリエチレングリコール誘導体及びこの製造方法に関する。より具体的に、本発明は両末端に作用基を置換したポリエチレングリコール誘導体及びこれの効率的な製造方法に関する。
【背景技術】
【０００２】
ポリエチレングリコール（ｐｏｌｙｅｔｈｙｌｅｎｅ ｇｌｙｃｏｌ、ＰＥＧ）は親水性が強く、水分子と効果的に水素結合する高分子の一つである。ＰＥＧは水以外の様々な有機溶媒への溶解度に優れ、毒性がほとんどなく、医薬品の開発に多様に応用されることができる。例えば、ＰＥＧはタンパク質、酵素など様々な生理活性物質と結合して薬物の毒性を減少させ、難溶性薬物の溶解度を増加させるし、活性及び血中半減期などを調節して所望の特性を有するＰＥＧ‐薬物複合体で製造されることができる。
【０００３】
タンパク質医薬品の場合、人体に投与する時に血中半減期が短くて薬効を維持するために投入頻度が高くなり、その結果投薬適応度が落ちる問題点がある。これを解決するためにポリエチレングリコールをタンパク質薬物と結合させるペグ化（ｐｅｇylａｔｉｏｎ）を通じてタンパク質薬物の血中半減期を増加させるための努力が続いている。このようなペグ化によってタンパク質薬物の血中半減期が増加するだけでなく、タンパク質薬物の抗原性が減少することもあって、タンパク質薬物のペグ化はタンパク質治療剤に広く使われている。
【０００４】
ＰＥＧとタンパク質薬物を組み合わせるために、ＰＥＧ鎖の末端のヒドロキシ基（ＯＨ ｇｒｏｕｐ）に様々な官能基が導入されたＰＥＧ誘導体が使用される。このようなＰＥＧ誘導体として、ＰＥＧ‐アルデヒド、ＰＥＧ‐アセトアルデヒド、ＰＥＧ‐プロピオンアルデヒドなどを挙げることができるが、この誘導体の末端に存在するアルデヒド基がタンパク質のアミノ末端に選択的に反応することができる。また、ＰＥＧとタンパク質薬物及び免疫グロブリンＦｃと組み合わせるためにＰＥＧ誘導体末端はマレイミド（ｍａｌｅｉｍｉｄｅ）基、スクシンイミド（ｓｕｃｃｉｎｉｍｉｄｅ）誘導体（スクシンイミジルプロピオネイト、ヒドロキシスクシンイミジル、スクシンイミジルカルボキシメチルまたはスクシンイミジルカーボネート）などを有することができる。
【０００５】
このような生理活性ポリペプチド結合体を製造するにあたり、リンカーとして使用されるポリエチレングリコール誘導体のより効率的な製造方法が必要である。
【発明の概要】
【発明が解決しようとする課題】
【０００６】
本発明の目的は、新規なポリエチレングリコール誘導体の製造方法を提供することである。
本発明の別の目的は、前記新規なポリエチレン誘導体の製造方法に使用される中間体及びこれらの製造方法を提供することである。
【課題を解決するための手段】
【０００７】
前記目的を達成するために、本発明は、
（１）塩基下で下記化学式１の化合物から下記化学式２の化合物を製造する段階；
（２）塩基下で前記化学式２の化合物を下記化学式２‐１の化合物と反応させて下記化学式３の化合物を製造する段階；
（３）塩基下で前記化学式３の化合物から下記化学式４の化合物を製造する段階；
（４）塩基下で前記化学式４の化合物を下記化学式５の化合物と反応させて下記化学式６の化合物を製造する段階；及び
（５）前記化学式６の化合物を脱ベンジル化して下記化学式７の化合物を製造する段階を含む下記化学式７の化合物を製造する方法を提供する。
【０００８】
【化１】
2021501816.tif 000003
【０００９】
【化２】
2021501816.tif 000004
【００１０】
【化３】
2021501816.tif 000005
【００１１】
【化４】
2021501816.tif 000006
【００１２】
【化５】
2021501816.tif 000007
【００１３】
【化６】
2021501816.tif 000008
【００１４】
【化７】
2021501816.tif 000009
【００１５】
【化８】
2021501816.tif 000010
【００１６】
ここで、Ｔｓはトルエンスルホニルで、Ｍｓはメタンスルホニルで、Ｂｎはベンジルで、Ｒ１及びＲ２はそれぞれ独立的に線形（ｌｉｎｅａｒ）または枝型（ｂｒａｎｃｈｅｄ）のＣ１〜Ｃ９アルキル基で、ｎは３ないし２０００の整数である。
また、本発明は、前記ポリエチレン誘導体の製造方法に使用される中間体である下記化学式２の化合物を提供する。
【００１７】
【化９】
2021501816.tif 000011
【００１８】
ここで、Ｔｓはトルエンスルホニルで、ｎは３ないし２０００の整数である。
また、本発明は、前記ポリエチレン誘導体の製造方法に使用される中間体である下記化学式８の化合物を提供する。
【００１９】
【化１０】
2021501816.tif 000012
【００２０】
ここで、Ｅｔはエチルで、ｎは３ないし２０００の整数である。
また、本発明は、前記ポリエチレン誘導体の製造方法に使用される中間体である下記化学式９の化合物を提供する。
【００２１】
【化１１】
2021501816.tif 000013
【００２２】
ここで、Ｅｔはエチルで、Ｍｓはメタンスルホニルで、ｎは３ないし２０００の整数である。
また、本発明は、前記ポリエチレン誘導体の製造方法に使用される中間体である下記化学式１０の化合物を提供する。
【００２３】
【化１２】
2021501816.tif 000014
【００２４】
ここで、Ｅｔはエチルで、Ｂｎはベンジルで、ｎは３ないし２０００の整数である。
また、本発明は、前記ポリエチレン誘導体の製造方法に使用される中間体である前記化学式７の化合物を提供する。
【発明の効果】
【００２５】
本発明によるポリエチレングリコール誘導体の製造工程は、医薬品リンカーで多様に活用できる新規なポリエチレングリコール誘導体を提供することができ、大量生産に適して効率的であり、高品質の製品を再現性よく大量生産することができる長所がある。
【図面の簡単な説明】
【００２６】
【図１】実施例５‐１のＮＭＲ分析結果である。
【発明を実施するための形態】
【００２７】
以下、本発明を詳しく説明する。
本発明のポリエチレングリコール誘導体の製造方法は、
（１）塩基下で下記化学式１の化合物から下記化学式２の化合物を製造する段階；
（２）塩基下で前記化学式２の化合物を下記化学式２‐１の化合物と反応させて下記化学式３の化合物を製造する段階；
（３）塩基下で前記化学式３の化合物から下記化学式４の化合物を製造する段階；
（４）塩基下で前記化学式４の化合物を下記化学式５の化合物と反応させて下記化学式６の化合物を製造する段階；及び
（５）前記化学式６の化合物を脱ベンジル化して下記化学式７の化合物を製造する段階を含む。
【００２８】
【化１３】
2021501816.tif 000015
【００２９】
【化１４】
2021501816.tif 000016
【００３０】
【化１５】
2021501816.tif 000017
【００３１】
【化１６】
2021501816.tif 000018
【００３２】
【化１７】
2021501816.tif 000019
【００３３】
【化１８】
2021501816.tif 000020
【００３４】
【化１９】
2021501816.tif 000021
【００３５】
【化２０】
2021501816.tif 000022
【００３６】
ここで、Ｔｓはトルエンスルホニルで、Ｍｓはメタンスルホニルで、Ｂｎはベンジルで、Ｒ１及びＲ２はそれぞれ独立的に線形または枝型のＣ１〜Ｃ９アルキル基で、ｎは３ないし２０００の整数である。
【００３７】
本発明によるポリエチレングリコール誘導体の製造方法は、医薬品リンカーで多様に活用できる新規なポリエチレングリコール誘導体を提供することができ、大量生産に適して効率的であり、高純度および高収率で高品質の製品を再現性よく大量生産することができる長所がある。
【００３８】
本発明の一具体例によると、前記ｎは最終的に製造しようとするポリエチレングリコール誘導体の分子量と直接係わるもので、３ないし２０００の整数であってもよい。また、前記製造方法でｎは、具体的に７ないし１０００または１０ないし１０００であってもよく、より具体的に５０ないし５００、さらに具体的に１００ないし５００、さらに具体的に１５０ないし２５０であってもよく、例えば、２２５±２５の整数であるが、これらに制限されることではない。
【００３９】
本発明の一具体例によると、Ｒ１及びＲ２は相互同一であるか、または相違してもよく、具体的には同一であってもよい。前記Ｒ１及びＲ２はそれぞれ独立的に線形または枝型のＣ１〜Ｃ９アルキル基であり、具体的にはそれぞれ独立的に、メチル、エチル、プロピル、イソプロピル、ブチル、イソブチル、ヘキシル、ヘプチル、オクチル、またはノニルで、より具体的には線形または枝型のＣ１〜Ｃ４アルキル基であってもよく、さらに具体的には、メチル、エチル、プロピル、イソプロピルまたはブチルであってもよく、例えばＲ１及びＲ２はエチルであってもよい。
【００４０】
本発明の一具体例によると、前記塩基は線形または枝型のＣ１ないしＣ５のアルコキシド化合物、または線形または枝型のＣ１ないしＣ８のアミン化合物であってもよく、具体的には、前記塩基はナトリウムメトキシド、ナトリウムエトキシド、ナトリウムｔ‐ブトキシド、ナトリウムｔ‐ペントキシド（ｔ‐ＰｅＯＮａ）、カリウムｔ‐ブトキシド（ｔ‐ＢｕＯＫ）、カリウムｔ‐ペントキシド、トリメチルアミン、トリエチルアミン（ＴＥＡ）、トリブチルアミン及びこれらの混合物からなる群から選択されることができる。
【００４１】
本発明の製造方法を段階ごとにより具体的に説明すれば次のとおりである。
前記段階（１）は、前記化学式１の化合物をトルエンスルホン酸化して化学式２の化合物を製造する段階であってもよい。
【００４２】
具体的に、前記段階（１）は、前記化学式１の化合物をトルエンスルホニルハライド化合物と反応させて化学式２の化合物を製造する段階であってもよい。
【００４３】
前記トルエンスルホニルハライドは、トルエンスルホニルクロリド、トルエンスルホニルブロミド、トルエンスルホニルヨージドであってもよく、具体的には、ｐ‐トルエンスルホニルクロリド、ｐ‐トルエンスルホニルブロミド、ｐ‐トルエンスルホニルヨージドであってもよい。
【００４４】
本発明の一つの具体的な実施形態において、前記段階（１）は、下記反応式１で示したように、下記化学式１の化合物（ポリエチレングリコール）を塩基下でｐ‐トルエンスルホニルクロリド（ＴｓＣｌ）と反応させて下記化学式２の化合物を製造する段階であってもよい。
【００４５】
【化２１】
2021501816.tif 000023
【００４６】
前記段階（１）は、ｎが大きい場合も適用することができ、二トシル化ポリエチレングリコール（ｄｉｔｏｓｙｌａｔｅｄ ＰＥＧ）と未反応ＰＥＧのような不純物または柔軟物質などの生成を抑制することができ、水を利用した反応後処理（ｗｏｒｋ‐ｕｐ）工程で容易に前記不純物または柔軟物質を順次精製し、化学式２のモノトシル化ポリエチレングリコールを純度９０％以上の高い収率で得ることができる。
ここで、Ｔｓ、ｎは前述したとおりである。
【００４７】
前記段階（１）において、前記塩基は線形または枝型のＣ１ないしＣ５のアルコキシド化合物、または線形または枝型のＣ１ないしＣ８のアミン化合物であってもよく、具体的には、前記塩基はナトリウムメトキシド、ナトリウムエトキシド、ナトリウムｔ‐ブトキシド、ナトリウムｔ‐ペントキシド（ｔ‐ＰｅＯＮａ）、カリウムｔ‐ブトキシド（ｔ‐ＢｕＯＫ）、カリウムｔ‐ペントキシド、トリメチルアミン、トリエチルアミン（ＴＥＡ）、トリブチルアミンまたはこれらの混合物であってもよく、より具体的にはトリエチルアミン（ＴＥＡ）であってもよい。
【００４８】
前記段階（１）において、溶媒はジクロロメタン（ＤＣＭ）、トルエンであってもよいが、これに制限されない。
前記段階（１）の反応は常温で行われることができる。
前記段階（２）では、下記反応式２で表すように、塩基下で段階（１）で製造された化学式２の化合物を化学式２‐１の化合物と反応させて下記化学式３の化合物を製造する。
【００４９】
【化２２】
2021501816.tif 000024
【００５０】
ここで、Ｔｓ、ｎ、Ｒ１及びＲ２は前述したとおりである。
【００５１】
本発明の一つの具体的な実施形態で段階（２）の化学式２‐１の化合物は、ジ‐（Ｃ１‐Ｃ５）アルコキシプロパノールであって、例えば、前記アルコキシ基は線形または枝型のＣ１ないしＣ５のアルコキシであってもよく、より具体的にはジメトキシ‐１‐プロパノール、ジエトキシ‐１‐プロパノール（ＤＥＰ‐ＯＨ）、ジプロポキシ‐１‐プロパノール、ジブトキシ‐１‐プロパノール、ジイソプロポキシ‐１‐プロパノールまたはこれらの混合物であってもよく、具体的にはジエトキシ‐１‐プロパノールであってもよい。
【００５２】
前記段階（２）において、前記塩基は線形または枝型のＣ１ないしＣ５のアルコキシド化合物、または線形または枝型のＣ１ないしＣ８のアミン化合物であってもよく、具体的には、前記塩基はナトリウムメトキシド、ナトリウムエトキシド、ナトリウムｔ‐ブトキシド、ナトリウムｔ‐ペントキシド（ｔ‐ＰｅＯＮａ）、カリウムｔ‐ブトキシド（ｔ‐ＢｕＯＫ）、カリウムｔ‐ペントキシド、トリメチルアミン、トリエチルアミン（ＴＥＡ）、トリブチルアミンまたはこれらの混合物であってもよく、より具体的にはカリウムｔ‐ブトキシド（ｔ‐ＢｕＯＫ）であってもよい。
【００５３】
前記段階（２）において、溶媒はトルエンであってもよいが、これに制限されない。
前記段階（２）の反応は２０〜５０℃で行われることができる。
前記段階（３）は、塩基下で前記化学式３の化合物をメタンスルホン化して化学式４の化合物を製造する段階である。
【００５４】
具体的に、前記段階（３）は前記化学式３の化合物をメタンスルホニルハライド化合物と反応させて化学式４の化合物を製造する段階であってもよい。
【００５５】
前記メタンスルホニルハライドは、メタンスルホニルクロリド、メタンスルホニルブロミド、メタンスルホニルヨージドであってもよい。
【００５６】
前記段階（３）は、下記反応式３で表すように、塩基下で段階（２）で製造された化学式３の化合物をメタンスルホニルクロリドと反応させて下記化学式４の化合物を製造する段階である。
【００５７】
【化２３】
2021501816.tif 000025
【００５８】
ここで、Ｍｓ、ｎ、Ｒ１及びＲ２は前述したとおりである。
【００５９】
前記段階（３）で、前記塩基は線形または枝型のＣ１ないしＣ５のアルコキシド化合物、または線形または枝型のＣ１ないしＣ８のアミン化合物であってもよく、具体的には、前記塩基はナトリウムメトキシド、ナトリウムエトキシド、ナトリウムｔ‐ブトキシド、ナトリウムｔ‐ペントキシド（ｔ‐ＰｅＯＮａ）、カリウムｔ‐ブトキシド（ｔ‐ＢｕＯＫ）、カリウムｔ‐ペントキシド、トリメチルアミン、トリエチルアミン（ＴＥＡ）、トリブチルアミンまたはこれらの混合物であってもよく、より具体的にはトリエチルアミン（ＴＥＡ）であってもよい。
【００６０】
前記段階（３）において、溶媒は例えばジクロロメタン（ＤＣＭ）であってもよいが、これに制限されない。
具体的な実施形態において、前記段階（３）の反応は、例えば０〜２５℃で行われることができる。
【００６１】
前記段階（４）では、下記反応式４で表すように、塩基下で段階（３）で製造された化学式４の化合物を下記化学式５の化合物（ジベンジルアミノプロパノール）と反応させて下記化学式６の化合物を製造する段階であってもよい。
【００６２】
【化２４】
2021501816.tif 000026
【００６３】
ここで、Ｍｓ、Ｂｎ、ｎ、Ｒ１及びＲ２は前述したとおりである。
【００６４】
前記段階（４）において、前記塩基は線形または枝型のＣ１ないしＣ５のアルコキシド化合物、または線形または枝型のＣ１ないしＣ８のアミン化合物であってもよく、具体的には、前記塩基はナトリウムメトキシド、ナトリウムエトキシド、ナトリウムｔ‐ブトキシド、ナトリウムｔ‐ペントキシド（ｔ‐ＰｅＯＮａ）、カリウムｔ‐ブトキシド（ｔ‐ＢｕＯＫ）、カリウムｔ‐ペントキシド、トリメチルアミン、トリエチルアミン（ＴＥＡ）、トリブチルアミンまたはこれらの混合物であってもよく、より具体的にはカリウムｔ‐ブトキシド（ｔ‐ＢｕＯＫ）、カリウムｔ‐ペントキシドであってもよい。
【００６５】
前記段階（４）において、溶媒はトルエンであってもよいが、これに制限されない。
前記段階（４）の反応は、２０〜５０℃で行われることができる。
前記段階（５）は下記反応式５で表すように、化学式６の化合物の脱ベンジル化反応（ｄｅｂｅｎｚｙｌａｔｉｏｎ）を進める段階である。
【００６６】
【化２５】
2021501816.tif 000027
【００６７】
ここで、Ｂｎ、ｎ、Ｒ１及びＲ２は前述したとおりである。本発明において、前記脱ベンジル化反応は、ベンジル基を水素に置換する反応を言う。
【００６８】
前記反応式（５）で表される段階（５）を通じて化学式（６）の化合物から化学式（７）の化合物を製造する場合、高純度、 高収率で化学式７の化合物をおだやかな条件で生成することができ、不純物の生成を最小化することができる。また、化学式６で表される化合物を使用することで精製し易く、レジン精製のような複雑な精製工程が不要であり、化学式（７）の純度を顕著に向上させることができるため、容易に化学式（７）の化合物を大量生産することができる。
【００６９】
本発明の一具現例によると、前記段階（５）では、反応温度は１０〜５０℃であってもよく、通常は室温でも高い収率及び純度で化学式（７）の化合物が製造されることができる。
【００７０】
本発明の一具現例によると、前記段階（５）の前記化学式７の化合物を製造する段階は、金属触媒の存在下で行われることができる。これには脱ベンジル化反応に用いられる金属触媒を使用することができるが、例えば前記金属触媒で酸化白金、水酸化パラジウム、パラジウム‐炭素を使用してもよく、より具体的に例えば、パラジウム‐炭素（Ｐｄ／Ｃ）であってもよい。
【００７１】
前記金属触媒は、化学式６の化合物１当量に対して０．００１ないし５０当量が使用されることが可能であるが、通常０．０５ないし２０当量、好ましくは０．１ないし５当量が使用される。
【００７２】
本発明の一具体例によると、前記段階（５）は下記化学式Ａで表される化合物の存在下で行われることができる。
【００７３】
【化２６】
2021501816.tif 000028
【００７４】
ここで、Ｒａ、Ｒｂ、及びＲｃはそれぞれ独立的にＨまたは線形または枝型のＣ１ないしＣ５のアルキル基であり、Ｒａ、Ｒｂ、及びＲｃの中で少なくとも一つはＨである。
【００７５】
前記化学式Ａで表される化合物は、アンモニア、１次アミンまたは２次アミンであってもよく、例えば、アンモニア、メチルアミン、エチルアミン、イソプロピルアミン、ジメチルアミン、ジエチルアミンなどであってもよく、具体的にはアンモニア、メチルアミン、ジメチルアミンであってもよいが、これに制限されない。
【００７６】
前記化学式Ａの化合物は、化合物Ａを含む水溶液の形態で添加されてもよく、具体的には、前記化学式Ａの化合物の濃度が２０％（ｖ／ｖ）ないし６０％（ｖ／ｖ）、具体的には２０％（ｖ／ｖ）ないし５５％（ｖ／ｖ）である水溶液の形態で添加されてもよい。
【００７７】
本発明の一具体例によると、前記段階（５）は水素（Ｈ２）の存在下で行われることができる。
【００７８】
本発明の前記段階（５）が水素（Ｈ２）の存在下で進められる場合、水素圧は１〜３０気圧で実施可能であるが、通常は常圧でも高い収率及び純度で化学式７の化合物が製造されることができる。
【００７９】
本発明の一具体例において、前記段階（５）は下記反応式５で表すように、段階（４）で製造された化学式６の化合物を金属触媒及び前記化学式Ａで表される化合物の存在下で水素と反応させて下記化学式７の化合物を製造する段階であってもよい。
【００８０】
【化２７】
2021501816.tif 000029
【００８１】
ここで、ｎ、Ｒ１、Ｒ２、Ｒａ、Ｒｂ、及びＲｃは前述したとおりである。
本明細書において、前記化学式Ａで表される化合物は、アンモニア、１級アミンまたは２級アミンであってもよく、例えば、アンモニア、メチルアミン、エチルアミン、イソプロピルアミン、ジメチルアミン、ジエチルアミンなどであってもよく、具体的には、アンモニア、メチルアミン、ジメチルアミンであってもよいが、これに制限されない。
【００８２】
前記化学式Ａで表される化合物を添加することで化学式６の化合物から脱ベンジル化を通じて化学式７の化合物を高い収率でおだやかな反応環境下で大量合成することができる。
【００８３】
前記化学式Ａの化合物は、化合物Ａを含む水溶液の形態で添加されてもよく、具体的には前記化学式Ａの化合物の濃度が２０％（ｖ／ｖ）ないし６０％（ｖ／ｖ）、具体的には２０％（ｖ／ｖ）ないし５５％（ｖ／ｖ）である水溶液の形態で添加されてもよい。
【００８４】
本発明の製法の一つの具体的な実施形態において、脱ベンジル化段階を化学式Ａのアミン化合物の存在下で水素添加反応で進める場合、高純度、高収率で化学式７の化合物をおだやかな条件で生成することができ、不純物の生成を最小化することができる。また、化学式６で表される化合物を使用することで精製が容易であってレジン精製のような複雑な精製工程が不要であり、化学式７の純度を顕著に向上させることができて容易に化学式（７）の化合物を大量生産することができる。
【００８５】
本発明の他の具体的な実施例において、前記段階（５）は前記化学式６の化合物をギ酸アンモニウムと反応させて前記化学式７の化合物を製造する段階であってもよい。
前記段階（５）において、反応溶媒は線形または枝型のＣ１ないしＣ５のアルコール、水またはこれらの混合物であってもよい。
前記段階（５）では、反応時間は反応条件によって適当に選択されるが、通常、１時間ないし４８時間行われることができる。
【００８６】
本発明は、前記ポリエチレン誘導体の製造方法に使用される中間体である下記化学式２の化合物を提供する。
【００８７】
【化２８】
2021501816.tif 000030
【００８８】
ここで、Ｔｓはトルエンスルホニルで、
ｎは最終的に製造しようとするポリエチレングリコール誘導体の分子量と直接係わるもので、３ないし２０００の整数であってもよく、７ないし１０００または１０ないし１０００であってもよく、具体的には５０ないし５００、より具体的には１００ないし５００、さらに具体的には１５０ないし２５０、または２２５±２５の整数であるが、これらに制限されることではない。
【００８９】
本発明の具体例によると、前記化学式２の化合物でｎは１５０ないし２５０の整数であってもよい。
【００９０】
本発明は、前記ポリエチレン誘導体の製造方法に使用される中間体である下記化学式８の化合物を提供する。
【００９１】
【化２９】
2021501816.tif 000031
【００９２】
ここで、Ｅｔはエチルで、ｎは最終的に製造しようとするポリエチレングリコール誘導体の分子量と直接係わるもので、３ないし２０００の整数であってもよく、７ないし１０００または１０ないし１０００であってもよく、具体的には５０ないし５００、より具体的には１００ないし５００、さらに具体的には１５０ないし２５０、または２２５±２５の整数であるが、これらに制限されることではない。
【００９３】
本発明の具体例によると、前記化学式３の化合物でｎは１５０ないし２５０であってもよい。
【００９４】
本発明は、前記ポリエチレン誘導体の製造方法に使用される中間体である下記化学式９の化合物を提供する。
【００９５】
【化３０】
2021501816.tif 000032
【００９６】
ここで、Ｅｔはエチルで、Ｍｓはメタンスルホニルで、ｎは最終的に製造しようとするポリエチレングリコール誘導体の分子量と直接係わるもので、３ないし２０００の整数であってもよく、７ないし１０００または１０ないし１０００であってもよく、具体的には５０ないし５００、より具体的には１００ないし５００、さらに具体的には１５０ないし２５０、または２２５±２５の整数であるが、これらに制限されることではない。
【００９７】
本発明の具体例によると、前記化学式９の化合物でｎは１５０ないし２５０であってもよい。
【００９８】
また、本発明は前記ポリエチレン誘導体の製造方法に使用される中間体である下記化学式１０の化合物を提供する。
【００９９】
【化３１】
2021501816.tif 000033
【０１００】
ここで、Ｅｔはエチルで、Ｂｎはベンジルで、ｎは最終的に製造しようとするポリエチレングリコール誘導体の分子量と直接係わるもので、３ないし２０００の整数であってもよく、７ないし１０００または１０ないし１０００であってもよく、具体的には５０ないし５００、より具体的には１００ないし５００、さらに具体的には１５０ないし２５０、または２２５±２５の整数であるが、これらに制限されることではない。
【０１０１】
本発明の具体例によると、前記化学式１０の化合物でｎは１５０ないし２５０であってもよい。
【０１０２】
本発明の製造方法は、前記化学式２、３、４または６の中間体を使用することで分子量が大きい化学式７の化合物を容易に生産することができ、特におだやかな条件下で化学式７の化合物を高い純度及び収率で製造可能であり、また精製工程が容易で化学式７の化合物を大量生産することができる。
【０１０３】
本発明の一具体例によると、前記化学式２、化学式３、化学式４、化学式６及び化学式７の化合物で前記Ｒ１及びＲ２はそれぞれ独立的に、メチル、エチル、プロピル、イソプロピル、ブチル、イソブチル、ヘキシル、ヘプチル、オクチル、またはノニルで、好ましくは（Ｃ１‐Ｃ４）アルキル基、さらに具体的にはメチル、エチル、プロピル、イソプロピルまたはブチルであってもよく、例えばＲ１及びＲ２はエチルであってもよい。
【０１０４】
以下、本発明を理解しやすくするために好ましい実施例を提示して説明する。ただし、下記実施例は本発明を例示するものに過ぎず、本発明の範疇及び技術思想の範囲内で様々な変形及び修正が可能であることは当業者にとって自明である。
【実施例】
【０１０５】
以下で言及された試薬及び溶媒は、特に言及しない限りＳｉｇｍａ‐Ａｌｄｒｉｃｈ社から購入し、前記生成物の純度はＨＰＬＣ（１２００ｓｅｒｉｅｓ、Ａｇｉｌｅｎｔ）を使用して測定し、構造は１Ｈ‐ＮＭＲ装置を利用して確認した。
【０１０６】
下記反応式６によって化合物２ないし７を製造した。
【０１０７】
【化３２】
2021501816.tif 000034
【０１０８】
実施例１：化合物（２）の製造
反応容器にＰＥＧ（ｐｏｌｙｅｔｈｙｌｅｎｅ  ｇｌｙｃｏｌ）１０ｋＤａ（１、ｎ＝２２５、製造社：Ｃｌａｒｉａｎｔ社）１ｋｇとジクロロメタン４Ｌを投入した。トリエチルアミン１１２ｍｌとｐ‐トルエンスルホニルクロリド１５３ｇを投入した後、室温で４時間撹拌した。反応が完結した後、水を投入して５分間撹拌した。層分離後、抽出液を水で数回洗浄した。有機層を分離した後、硫酸マグネシウムで乾燥させてろ過し、残ったろ液を減圧濃縮させた。濃縮液にジクロロメタン０．５Ｌを添加して溶解させた後、メチルｔ‐ブチルエーテル８Ｌを２０分間滴加した。生成された結晶をろ過してメチルｔ‐ブチルエーテルで洗浄した後、室温で窒素乾燥して目的化合物である化合物（２）３００ｇ（収率：３０％）を得た。
１Ｈ‐ＮＭＲ（ＣＤＣｌ３，４００ＭＨｚ）δ７．８０（ｄ，２Ｈ，Ｊ＝８．８Ｈｚ）、７．３５（ｄ，２Ｈ，Ｊ＝８．４Ｈｚ）、４．１７‐４．１５（ｍ，２Ｈ）、３．８６‐３．４５（ｍ，９００Ｈ）、２．９８（ｔ，１Ｈ，Ｊ＝６．４Ｈｚ）、２．４５（ｓ，３Ｈ）
【０１０９】
実施例２：化合物（３）の製造
反応容器にトルエン４００ｍｌとジエトキシ‐１‐プロパノール１０．２ｇを投入した。カリウムｔ‐ブトキシド３．９ｇを投入した後５０℃まで昇温させ、５０℃で１時間撹拌して活性化（ａｃｔｉｖａｔｉｏｎ）溶液を製造した。他の反応容器に化合物（２）１００ｇとトルエン４００ｍｌを投入した後、４０℃に昇温させて化合物（２）を溶解させた。前記混合液を４０℃に冷却させた活性化溶液に４０℃で２０分間滴加した。４０℃で３時間撹拌させた後、反応溶液に水を添加して抽出した。層分離後、水溶液層にジクロロメタンを添加した後、５分間撹拌した。有機層を分離した後、硫酸マグネシウムで乾燥させてろ過し、残ったろ液を減圧濃縮させた。濃縮液にジクロロメタン１００ｍｌを添加して溶解させた後、メチルｔ‐ブチルエーテル１．５Ｌを２０分間滴加した。生成された結晶をろ過してメチルｔ‐ブチルエーテルで洗浄した後、室温で窒素乾燥して目的化合物である化合物（３）６０ｇ（収率：６０％）を得た。
１Ｈ‐ＮＭＲ（ＣＤＣｌ３、４００ＭＨｚ）δ４．６４（ｔ，１Ｈ，Ｊ＝６．０Ｈｚ）、３．８８‐３．４０（ｍ，９００Ｈ）、２．７０（ｔ，１Ｈ，Ｊ＝６．４Ｈｚ）、１．９４‐１．８８（ｍ，２Ｈ）、１．２０（ｔ，６Ｈ，Ｊ＝６．８Ｈｚ）
【０１１０】
実施例３：化合物（４）の製造
反応容器に化合物（３）４０ｇとジクロロメタン１２０ｍｌを投入した。反応温度を１０℃以下で維持しながらトリエチルアミン３ｍｌとメタンスルホニルクロリド１．５ｍｌを投入した。室温で３時間撹拌した。反応が完結した後、水とジクロロメタンを投入して５分間撹拌した。有機層を抽出した後、水層にまたジクロロメタンを投入してさらに抽出した。有機層を集めて硫酸マグネシウムで乾燥してろ過し、残ったろ液を減圧濃縮させた。濃縮液にジクロロメタン４０ｍｌを添加して溶解させた後、メチルｔ‐ブチルエーテル６００ｍｌを２０分間滴加した。生成された結晶をろ過してメチルｔ‐ブチルエーテルで洗浄した後、室温で窒素乾燥して目的化合物である化合物（４）３８ｇ（収率：９５％）を得た。
１Ｈ‐ＮＭＲ（ＣＤＣｌ３、４００ＭＨｚ）δ４．６５（ｔ，１Ｈ，Ｊ＝６．０Ｈｚ）、４．４０‐４．３８（ｍ，２Ｈ）、３．８５‐３．４０（ｍ，９００Ｈ）、３．０８（ｓ，３Ｈ）、１．９３‐１．８８（ｍ，２Ｈ）、１．２０（ｔ，６Ｈ，Ｊ＝７．２Ｈｚ）
【０１１１】
実施例４：化合物（６）の製造
反応容器にトルエン１６０ｍｌと化合物（５）１０ｇを投入した。カリウムｔ‐ペントキシド（２５ｗｔ％のトルエン溶液）１１ｍｌを投入した後、５０℃まで昇温させて５０℃で１時間撹拌した（ａｃｔｉｖａｔｉｏｎ溶液）。他の反応容器に化合物（４）４０ｇとトルエン４００ｍｌを投入した後、３０℃に昇温させて化合物（４）を溶解させた。３０℃に冷却させたａｃｔｉｖａｔｉｏｎ溶液を前記混合液に３０℃で１時間滴加した。３０℃で３時間撹拌させた後、反応溶液に水を添加して抽出した。層分離後、水溶液層にジクロロメタンを投入して５分間撹拌した。有機層を分離した後、硫酸マグネシウムで乾燥させてろ過し、残ったろ液を減圧濃縮させた。濃縮液にジクロロメタン４０ｍｌを添加して溶解させた後、メチルｔ‐ブチルエーテル６００ｍｌを２０分間滴加した。生成された結晶をろ過してメチルｔ‐ブチルエーテルで洗浄した後、室温で窒素乾燥して目的化合物である化合物（６）１４ｇ（収率：３５％）を得た。
１Ｈ‐ＮＭＲ（ＣＤＣｌ３、４００ＭＨｚ）δ７．３５‐７．１８（ｍ，１０Ｈ）、４．６３（ｔ，１Ｈ，Ｊ＝５．２Ｈｚ）、３．８３‐３．４０（ｍ，９００Ｈ）、２．４７（ｔ，２Ｈ，Ｊ＝６．８Ｈｚ）、１．９２‐１．８８（ｍ，２Ｈ）、１．８１‐１．７５（ｍ，２Ｈ）、１．１９（ｔ，６Ｈ，Ｊ＝７．２Ｈｚ）
【０１１２】
実施例５：化合物（７）の製造
実施例５‐１：アンモニアを利用した脱ベンジル化
反応容器に化合物（６）（ＤＥＰ‐ＰＥＧ‐Ｎ（Ｂｎ）２（ＭＷ＝約１００００）ｎ＝２２５）１ｇとエタノール２０ｍＬ、２８％（ｖ／ｖ）アンモニア水溶液２ｍＬを投入した。溶解後Ｐｄ／Ｃ０．１ｇを添加した後、水素ガス下、室温で１８時間撹拌した。反応液にジクロロメタン２０ｍＬを滴加して５分撹拌した後、ろ過してＰｄ／Ｃを取り除いた。ろ液を減圧蒸溜した後、濃縮液にジクロロメタン１ｍＬを添加して溶解させた後、メチルｔ‐ブチルエーテル（ｔｅｒｔ‐Ｂｕｔｙｌ  ｍｅｔｈｙｌ  ｅｔｈｅｒ）１５ｍＬを２０分間滴加した。生成された結晶をろ過してメチルｔ‐ブチルエーテルで洗浄した後、窒素乾燥して目的化合物である化合物（７）（ＤＥＰ‐ＰＥＧ‐ＮＨ２（ＭＷ＝１００００））０．８９ｇ（収率：８９％）を得て、これをＮＭＲで確認した。
１Ｈ ＮＭＲ（ＣＤＣｌ３、４００ＭＨｚ）δ４．６４（ｔ，１Ｈ）、３．８５‐３．４３（ｍ，９１２Ｈ）、２．８２（ｔ，２Ｈ）、１．８９（ｍ，２Ｈ）、１．７５（ｍ，２Ｈ）、１．２０（ｔ，６Ｈ）。
【０１１３】
実施例５‐２：メチルアミンを利用した脱ベンジル化
反応容器に化合物（６）（ＤＥＰ‐ＰＥＧ‐Ｎ（Ｂｎ）２（ＭＷ＝約１００００））１ｇとエタノール２０ｍＬ、４０％（ｖ／ｖ）メチルアミン水溶液２ｍＬを投入した。溶解した後、Ｐｄ／Ｃ０．１ｇを添加した後で、水素ガス下、室温で１８時間撹拌した。反応液にジクロロメタン２０ｍＬを滴加して５分撹拌した後、ろ過してＰｄ／Ｃを取り除いた。ろ液を減圧蒸溜した後、濃縮液にジクロロメタン１ｍＬを添加して溶解させた後、メチルｔ‐ブチルエーテル１５ｍＬを２０分間滴加した。生成された結晶をろ過してメチルｔ‐ブチルエーテルで洗浄した後、窒素乾燥して目的化合物である化合物（７）（ＤＥＰ‐ＰＥＧ‐ＮＨ２（ＭＷ＝１００００））０．８７ｇ（収率：８７％）得てＮＭＲで確認した。
１Ｈ ＮＭＲ（ＣＤＣｌ３、４００ＭＨｚ）δ４．６２（ｔ，１Ｈ）、３．４２‐３．７８（ｍ，９１２Ｈ）、２．９１（ｔ，２Ｈ）、１．８９（ｍ，２Ｈ）、１．７８（ｍ，２Ｈ）、１．１８（ｔ，６Ｈ）。
【０１１４】
実施例５‐３：ジメチルアミンを利用した脱ベンジル化
メチルアミン水溶液の代わりに５０％（ｖ／ｖ）ジメチルアミン水溶液を使用したことを除いて、実施例５‐２と同様の方法で目的化合物である化合物（７）（ＤＥＰ‐ＰＥＧ‐ＮＨ２（ＭＷ＝１００００））０．８７ｇ（収率：８７％）得てＮＭＲで確認した。
１Ｈ ＮＭＲ（ＣＤＣｌ３、４００ＭＨｚ）δ４．６３（ｔ，１Ｈ）、３．４２‐３．７８（ｍ，９１２Ｈ）、３．１７（ｔ，２Ｈ）、２．０４（ｍ，２Ｈ）、１．８７（ｍ，２Ｈ）、１．１９（ｔ，６Ｈ）。
【０１１５】
比較例１：アミン化合物を投入せずに脱ベンジル化反応
反応容器に化合物（６）（ＤＥＰ‐ＰＥＧ‐Ｎ（Ｂｎ）２（ＭＷ＝約１００００））１ｇとエタノール２０ｍＬ、水２ｍＬを投入した。溶解した後、Ｐｄ／Ｃ０．１ｇを添加した後、水素ガス下、室温で１８時間撹拌した。反応液にジクロロメタン２０ｍＬを滴加して５分撹拌した後、ろ過してＰｄ／Ｃを取り除いた。ろ液を減圧蒸溜した後、濃縮液にジクロロメタン１ｍＬを添加して溶解させ、メチルｔ‐ブチルエーテル１５ｍＬを２０分間滴加した。生成された結晶をろ過してメチルｔ‐ブチルエーテルで洗浄した後、窒素乾燥して未知の生成物０．９ｇを得てＮＭＲで分析した結果、目的化合物である化合物（６）ＤＥＰ‐ＰＥＧ‐ＮＨ２ではないと確認された。
【０１１６】
比較例２：トリメチルアミンを利用した脱ベンジル化
反応容器に化合物（６）（ＤＥＰ‐ＰＥＧ‐Ｎ（Ｂｎ）２（ＭＷ＝約１００００））１ｇとエタノール２０ｍＬ、３０％（ｖ／ｖ）トリエチルアミン水溶液２ｍＬを投入した。溶解した後、Ｐｄ／Ｃ０．１ｇを添加した後、水素ガス下、室温で１８時間撹拌した。反応液にジクロロメタン２０ｍＬを滴加して５分撹拌した後、ろ過してＰｄ／Ｃを取り除いた。ろ液を減圧蒸溜した後、濃縮液にジクロロメタン１ｍＬを添加して溶解させ、メチルｔ‐ブチルエーテル１５ｍＬを２０分間滴加した。生成された結晶をろ過してメチルｔ‐ブチルエーテルで洗浄した後、窒素乾燥して未知の生成物０．８８ｇを得てＮＭＲで分析した結果、目的化合物である化合物（６）ＤＥＰ‐ＰＥＧ‐ＮＨ２ではないと確認された。
【０１１７】
【表１】
2021501816.tif 000035
【図１】
2021501816.tif 000049
【国際調査報告】
2021501816.tif 000050
2021501816.tif 000051
2021501816.tif 000052
2021501816.tif 000053